(57)【特許請求の範囲】
【請求項１】
門型のフレームと、このフレームの脚部に設けられた走行装置と、フレームの内側上方に設定される管理機ユニットとを具え、作業者が搭乗、運転して茶畝をまたぎながら走行して茶園管理を行う装置において、
前記管理機ユニット後方には、少なくとも摘採作業において摘採された茶葉を収容する収容袋を支持する袋台が設けられ、且つこのものは使用時における水平姿勢と、折り畳み時における垂直姿勢とに姿勢変更可能なように、後端を自由端とし前端側を回動中心として折り畳み自在としたものであり、更にその支持台面は網、エキスパンドメタルまたは格子により構成される透視構造を具えることにより後方の視認性を確保したまま前記袋台を折り畳んだ状態での後退走行を可能としたことを特徴とする乗用式茶園管理機。
【発明の詳細な説明】
【０００１】
【発明の属する技術分野】
本発明は茶葉の摘採等を行う乗用式茶園管理機に関するものであって、特に後方視界をより確実に得ることができるようにした構造に係るものである。
【０００２】
【発明の背景】
作業者が搭乗して運転しながら茶葉の摘採等の茶園管理を行ういわゆる乗用式茶園管理機には、例えば摘採した茶葉を収容、運搬する手法として管理機後方に大型のコンテナを設けこのコンテナからトラックの荷台に収穫茶葉をバラ積みするコンテナ式と、従来の可搬式に比較的近い収葉態様を採るものとして管理機後方に比較的小さな付け替え自在な収容袋を設け、摘採された茶葉が詰まった収容袋ごとに運搬する茶袋収葉式とがある。
このうち茶袋収葉式の場合には、収容袋を載置しておく袋台が管理機後方に設けられるため、この袋台は茶園管理機の後方に大きく突き出して設けられている。このため袋台の多くは、枕地での旋回や、圃場間等を移動する際にトラックに積載するときのコンパクトさを考慮して、後端をはね上げた垂直姿勢を採りうるような折り畳み自在な構成とされている。
ところがこのように載置台をほぼ垂直に立てて折り畳んだ状態では、運転する作業者にとって後方視界が遮られてしまい、特に後退走行する際に運転がしにくいという問題点があった。
【０００３】
【開発を試みた技術的課題】
本発明はこのような背景からなされたものであって、載置台を折り畳んだ状態で後方視界をより確実に得ることができるようにして運転がしやすい新規な乗用式茶園管理機の開発を試みたものである。
【０００４】
【課題を解決するための手段】
すなわち請求項１記載の乗用式茶園管理機は、門型のフレームと、このフレームの脚部に設けられた走行装置と、フレームの内側上方に設定される管理機ユニットとを具え、作業者が搭乗、運転して茶畝をまたぎながら走行して茶園管理を行う装置において、
前記管理機ユニット後方には、少なくとも摘採作業において摘採された茶葉を収容する収容袋を支持する袋台が設けられ、且つこのものは使用時における水平姿勢と、折り畳み時における垂直姿勢とに姿勢変更可能なように、後端を自由端とし前端側を回動中心として折り畳み自在としたものであり、更にその支持台面は網、エキスパンドメタルまたは格子により構成される透視構造を具えることにより後方の視認性を確保したまま前記袋台を折り畳んだ状態での後退走行を可能としたことを特徴として成るものである。
この発明によれば、袋台が立てられた折り畳み状態でも後方の視認性に優れ、後退走行する際の乗用式茶園管理機の運転がしやすくなる。更に網目等から見るものであるため、透視構造が汚れたり、傷ついたりして後方が見えにくくなるということがない。また安価に本発明の実施が行える。
【０００５】
【発明の実施の形態】
以下本発明を図示の実施の形態に基づいて具体的に説明する。符号１は本発明が適用される乗用式茶園管理機であり、このものは図１〜３にその全体構成を示すものであって、大別すると茶畝を跨いで走行する走行機ユニット２と、この走行機ユニット２に対し搭載され、茶刈作業に直接寄与する管理機ユニット３とを具えるものであり、この乗用式茶園管理機１における管理機ユニット３に対し本発明の特徴的構成を有した袋台１０を具える。
【０００６】
まず乗用式茶園管理機１における走行機ユニット２について概略を説明する。この走行機ユニット２は、茶畝を跨いで走行できるようにするために走行方向から見てほぼ門形を成すフレーム２０を機枠部材とする。このフレーム２０は茶畝間に立ち上がるように位置する左右の脚部フレーム２０Ａと、その脚部フレーム２０Ａの上端を水平に結ぶような上部フレーム２０Ｂと、更に脚部フレーム２０Ａの一部に対し昇降自在に取り付けられる昇降フレーム２０Ｃとを具えて成る。そして前記脚部フレーム２０Ａの下端には一例としてクローラを適用した走行装置２１を設ける。もちろんこの走行装置２１はこのようなクローラに限らず茶畝間の畑地を過剰に押し付けないような空気タイヤ等、適宜の手段がとり得る。
【０００７】
更に前記上部フレーム２０Ｂの上部には操縦席２２を設けるものであり、その前面には操縦のためのコントロールボックス２３を設ける。そしてこの操縦席２２の側傍には例えばディーゼルエンジン等を適用した原動機２４を搭載するものであり、一例としてこの原動機２４により図示を省略するが油圧ポンプを駆動し、この油圧ポンプにより供給される作動油により前記走行装置２１の駆動や管理機ユニット３における刈刃３０の駆動、更には前記昇降フレーム２０Ｃの昇降シフトのためのシリンダ（図示略）の駆動を行う。更に摘採した茶葉を風送するためのファン２５を前記上部フレーム２０Ｂ上に設けるものであって、このものは直接原動機２４の回転により駆動される。そしてファン２５からはダクト２６を介して圧力風が管理機ユニット３側に供給される。なお符号２６Ａはダクト２６の一部を構成するフレキシブルダクトであり、このものは後述するように管理機ユニット３が茶畝に応じて適宜の高さに設定されることから、その位置の変化に対応できるように必要上とり入れられた構成である。
【０００８】
次に管理機ユニット３の主要部材について説明すると、まず符号３０は前述した刈刃であって、二枚の上下一対に組み合わせた長杆状の部材に多数の歯を形成し、この上下一対の刈刃を往復摺動させることにより刈り取りを行ういわゆるバリカン式の刈刃である。もちろんここに適用する刈刃は、このようないわゆるバリカン式のものでなくてもよく、例えばロータリー式の回転刃であっても差し支えない。なおこの刈刃３０の駆動にあたっても、前述したように走行装置２１に搭載された原動機２４によって駆動される油圧を受けて油圧モータにより刈刃３０を駆動することが望ましい実施の形態である。もちろん刈刃３０の駆動は別途エンジンによっても差し支えない。
【０００９】
この刈刃３０の前方上方には多数の分岐管を有する風送管３１を有するものであり、摘採作業時にはこの風送管３１から前記ファン２５によって生起された移送風が供給されて茶葉を後方に移送させるのである。そして前記刈刃３０の直接後方には案内フレーム３２があり、この案内フレーム３２を下面部材としてそれを取り囲むようにトンネル状の案内胴３３が構成され、更にこの案内胴３３の後方には中継ダクト３５が設けられている。
【００１０】
なおこの中継ダクト３５の左右両側における昇降フレーム２０Ｃには詳細な説明は省略するが、適宜コロ２０１が設けられ、このものが脚部フレーム２０Ａに沿って転接するように構成され、それらが全体としてチェーン等により上方に引き上げられるような状態で昇降する。なおこの管理機ユニット３自体は、この昇降フレーム２０Ｃに対し比較的簡易に取り外し自在に取り付けられている。
また中継ダクト３５はその幅方向中央に仕切を有し、各後部開口端に対しフック３６が取り付けられるものであり、この中継ダクト３５を左右で二分割するように二つの収容袋Ｓが前記フック３６を利用して掛止される。
【００１１】
また上部フレーム２０Ｂ上には、摘採作業途中などに茶葉が収容された収容袋を一時的に載置しておくための中央荷台４と、この両側部に固定して設けられる張出荷台５が設けられており、一例としてこれら中央荷台４及び張出荷台５は、左右方向に摺動自在な構成とされている。
【００１２】
以上のような基本的な構成を有する乗用式茶園管理機１に対し本発明を適用するものであって、以下に本発明の特徴的構成である収容袋Ｓを受けるための袋台１０について説明する。
すなわち中継ダクト３５の更に後方には収容袋Ｓを受けるための袋台１０が左右に並設して設けられるものである。そしてこの袋台１０自体は走行機ユニット２の基本構成部分に対し後方に大きく張り出しているものであるから、格納あるいは移動の便を考慮して、使用時における水平姿勢と、折り畳み時における垂直姿勢とに姿勢変更可能なように、後端を自由端とし前端側を回動中心として扛伏自在に構成されている。そして袋台１０の具体的構成は、本発明の特徴として、茶畝の上面形状に沿うように湾曲した矩形状のフレーム１１に一例として金網を適用した網１３が張設されて構成されている。そして支持台面１０Ａが網１３で構成されることにより透視構造を有し、乗用式茶園管理機１後方の視認性に優れている。また袋台１０の側部に設けられた符号１２に示す部材は、収容袋Ｓの落下を防止するための落下防止体である。なお前述したように網１３として、金網を用いる他、剛性がある合成樹脂製の網を用いるようにしてもよい。
【００１３】
本発明は以上述べたような具体的な構成を有するものであり、この乗用式茶園管理機１によれば、例えば茶園管理作業の仕事の開始時や終了時にトラックに積載するときや、倉庫等に乗用式茶園管理機１を保管するときなどに、袋台１０を折り畳んで後退走行する際に、袋台１０の網１３の網目から後方の様子がよく見え、楽に且つ速く運転を行うことができる。
【００１４】
【他の実施の形態】
以上述べたような構成を本発明の好ましい実施の形態の一つとするものであるが、本発明の技術思想を基に更に他の実施の形態が採り得る。
すなわち袋台１０は、後方が視認できる構成の範囲内であれば種々の構成に改変し得るものであり、例えば図４に示す袋台１０は、フレーム１１にエキスパンドメタル１４を張設して構成したものである。更に図５に示す袋台１０は、支持台面１０Ａを金属または合成樹脂の格子１５により形成したものである。
【００１５】
また透視構造は、支持台面１０Ａの全体に設ける他、例えば図６に示すように非透視構造のパネル１６で構成される支持台面１０Ａに対し、部分的に網１３等による透視構造を設けるようにしても構わない。
【００１６】
また袋台１０は、前記基本的な実施の形態では二枚が並設されたものであるが、別に単板で構成しても構わない。
【００１７】
なお支持台面１０Ａを透明なプラスック板やガラス板で構成し、透視構造とすることも可能であるが、汚れや傷により見えにくくなるため、あまり好ましい実施の形態ではない。
【００１８】
【発明の効果】
請求項１記載の乗用式茶園管理機によれば、袋台１０の支持台面１０Ａは透視構造を具えているため、袋台１０が立てられた折り畳み状態でも後方の視認性に優れ、後退走行する際の乗用式茶園管理機の運転がしやすくなる。更に透視構造は、網等により構成されるため、透視構造が汚れたり、傷ついたりして後方が見えにくくなるということがない。また安価に本発明の実施が行える。
【図面の簡単な説明】
【図１】本発明の乗用式茶園管理機の使用状態を示す斜視図である。
【図２】同上平面図である。
【図３】同上側面図である。
【図４】透視構造の他の実施の形態を示す袋台の平面図である。
【図５】同上他の種々の実施の形態を示す平面図である。
【図６】同上更に他の実施の形態を示す平面図である。
【符号の説明】
１      乗用式茶園管理機
２      走行機ユニット
３      管理機ユニット
４      中央荷台
５      張出荷台
１０    袋台
１０Ａ  支持台面
１１    フレーム
１２    落下防止体
１３    網
１４    エキスパンドメタル
１５    格子
１６    パネル
２０    フレーム
２０Ａ  脚部フレーム
２０Ｂ  上部フレーム
２０Ｃ  昇降フレーム
２０１  コロ
２１    走行装置
２２    操縦席
２３    コントロールボックス
２４    原動機
２５    ファン
２６    ダクト
２６Ａ  フレキシブルダクト
３０    刈刃
３１    風送管
３２    案内フレーム
３３    案内胴
３５    中継ダクト
３６    フック
Ｓ      収容袋
【図１】
0003546411.tif 000002
【図２】
0003546411.tif 000003
【図３】
0003546411.tif 000004
【図４】
0003546411.tif 000005
【図５】
0003546411.tif 000006
【図６】
0003546411.tif 000007